(57)【要約】【課題】部品点数を増加させたり組立時の作業性を悪化させたりすることなく、基板間角度を所望の角度に保持することが可能であり、水平指向性偏差が小さい無指向性アレイアンテナを提供する。【解決手段】表面に放射素子２が形成された複数の基板３と、基板３を収容するレドーム４と、レドーム４の内周面に一体に形成され、基板３の端部を係止して、基板３のレドーム４の周方向の動きを規制する規制手段５と、を備えたものである。【選択図】図１
2014154914.tif 000002
【特許請求の範囲】
【請求項１】
表面に放射素子が形成された複数の基板と、
前記基板を収容するレドームと、
前記レドームの内周面に一体に形成され、前記基板の端部を係止して、前記基板の前記レドームの周方向の動きを規制する規制手段と、
を備えたことを特徴とするアンテナ。
【請求項２】
２つの前記基板を備え、
前記規制手段は、前記レドームの軸方向から見たときに、２つの前記基板を直交した状態で保持するように構成される
請求項１記載のアンテナ。
【請求項３】
２つの前記基板は、前記レドームの軸方向に沿って並べて配置される
請求項２記載のアンテナ。
【請求項４】
前記規制手段は、前記レドームの内周面に、前記レドームの軸方向に沿って形成され、前記基板の両側端部を前記レドームの軸方向に沿ってスライド自在に収容する溝からなる
請求項１〜３いずれかに記載のアンテナ。
【請求項５】
前記溝は、その開口に向かって拡がるテーパ状に形成される
請求項４記載のアンテナ。
【発明の詳細な説明】
【技術分野】
【０００１】
本発明は、移動体通信の基地局用アンテナ等として用いられる無指向性アレイアンテナに関するものである。
【背景技術】
【０００２】
移動体通信の基地局用のアンテナとして、表面に放射素子を形成した複数の基板をレドームに収容した構成の無指向性アレイアンテナが知られている（特許文献１，２参照）。
【０００３】
特許文献１，２では、２枚の基板を備え、当該２枚の基板を、レドームの軸方向からみたときに直交するように配置している。
【先行技術文献】
【特許文献】
【０００４】
【特許文献１】特開２００４−２６６４８４号公報
【特許文献２】特許第４８７８０２４号公報
【発明の概要】
【発明が解決しようとする課題】
【０００５】
上述のような無指向性アレイアンテナでは、レドームの軸方向からみたときの基板間の角度（基板間角度という）にずれが生じると、指向性に偏りが生じてしまうという問題がある。
【０００６】
特許文献１，２のように２枚の基板を直交させる構成とする場合、水平指向性偏差を最小とするためには、基板間角度を９０°に保つ必要がある。
【０００７】
特許文献２では、１／４円状のリブを基板間に接着剤やねじ等により固定することで、基板間角度を９０°に保つ構成が開示されているが、このような構成では、部品点数が多くなり、また、リブを基板に取り付ける作業に時間がかかり、組立時の作業性が悪化してしまう。
【０００８】
本発明は上記事情に鑑み為されたものであり、部品点数を増加させたり組立時の作業性を悪化させたりすることなく、基板間角度を所望の角度に保持することが可能であり、水平指向性偏差が小さい無指向性アレイアンテナを提供することを目的とする。
【課題を解決するための手段】
【０００９】
本発明は上記目的を達成するために創案されたものであり、表面に放射素子が形成された複数の基板と、前記基板を収容するレドームと、前記レドームの内周面に一体に形成され、前記基板の端部を係止して、前記基板の前記レドームの周方向の動きを規制する規制手段と、を備えたアンテナである。
【００１０】
２つの前記基板を備え、前記規制手段は、前記レドームの軸方向から見たときに、２つの前記基板を直交した状態で保持するように構成されてもよい。
【００１１】
２つの前記基板は、前記レドームの軸方向に沿って並べて配置されてもよい。
【００１２】
前記規制手段は、前記レドームの内周面に、前記レドームの軸方向に沿って形成され、前記基板の両側端部を前記レドームの軸方向に沿ってスライド自在に収容する溝からなってもよい。
【００１３】
前記溝は、その開口に向かって拡がるテーパ状に形成されてもよい。
【発明の効果】
【００１４】
本発明によれば、部品点数を増加させたり組立時の作業性を悪化させたりすることなく、基板間角度を所望の角度に保持することが可能であり、水平指向性偏差が小さい無指向性アレイアンテナを提供できる。
【図面の簡単な説明】
【００１５】
【図１】本発明の一実施の形態に係る無指向性アレイアンテナを示す図であり、（ａ）はレドームを透視した斜視図、（ｂ）はその１Ｂ−１Ｂ線断面図、（ｃ）はその１Ｃ部拡大図である。
【図２】（ａ），（ｂ）は、本発明の一変形例に係る無指向性アレイアンテナを示す拡大断面図である。
【図３】（ａ），（ｂ）は、本発明の一変形例に係る無指向性アレイアンテナを示す断面図である。
【図４】本発明の一変形例に係る無指向性アレイアンテナを示す斜視図である。
【発明を実施するための形態】
【００１６】
以下、本発明の実施の形態を添付図面にしたがって説明する。
【００１７】
図１は、本実施の形態に係る無指向性アレイアンテナを示す図であり、（ａ）はレドームを透視した斜視図、（ｂ）はその１Ｂ−１Ｂ線断面図、（ｃ）はその１Ｃ部拡大図である。
【００１８】
図１に示すように、無指向性アレイアンテナ１は、表面に放射素子２が形成された複数の基板３と、基板３を収容するレドーム（アンテナカバー）４と、レドーム４の内周面に一体に形成され、基板３の端部を係止して、基板３のレドーム４の周方向の動きを規制する規制手段５と、を備えている。
【００１９】
基板３の表面には、上下に２つの放射素子２が形成されており、上下の略中央に設けられた給電点６から上下に分岐し両放射素子２に至るように給電線路７が形成されている。図１では、放射素子２としてダイポールアンテナ素子を用いた場合を示しているが、放射素子２はこれに限定されるものではない。また、基板３の具体的な構成も図１の構成に限定されるものではない。基板３の厚さは、例えば１ｍｍ程度である。
【００２０】
本実施の形態では、２つの基板３を備える場合を説明する。この場合、規制手段５は、レドーム４の軸方向から見たときに、２つの基板３を直交した状態で保持するように構成される。なお、基板３の数はこれに限定されるものではなく、例えば、ｎ個の基板３を備える場合、規制手段５は、レドーム４の軸方向からみたときの基板間の角度（基板間角度）θが１８０／ｎとなるように、各基板３を保持するよう構成されてもよい。
【００２１】
レドーム４は、例えば、繊維強化プラスチック（ＦＲＰ）からなり、筒状に形成されている。２つの基板３は、レドーム４の中空部４ａに、その軸方向に沿って並べて配置されている。なお、両基板３にスリットを形成して十字状に嵌め合わせた構成も考えられるが、このような構成としても、所望の特性を得るためには無指向性アレイアンテナ１全体の上下の長さは図１の場合と大きく変わらないため、基板３が大型化し高コストとなってしまう。つまり、無指向性アレイアンテナ１のように、２つの基板３をレドーム４の軸方向に沿って並べて配置する構成とすることで、使用する基板３の面積を小さくして低コスト化を図ることが可能になる。２つの基板３は、図示しないジョイント金具により互いに固定されている。
【００２２】
上述のように、規制手段５は、基板３の端部を係止して、基板３のレドーム４の周方向の動きを規制するものであり、レドーム４の内周面に一体に形成される。
【００２３】
規制手段５は、レドーム４の内周面に、レドーム４の軸方向に沿って直線状に形成され、基板３の両側端部をレドーム４の軸方向に沿ってスライド自在に収容する溝８からなる。
【００２４】
本実施の形態では、レドーム４の中空部４ａを断面視で矩形状に形成し、その断面視で矩形状に形成された中空部４ａの対角線上に位置するように基板３を配置し、中空部４ａの角部を溝８として用い、基板３のレドーム４の周方向の動きを規制するように構成した。
【００２５】
さらに、本実施の形態では、レドーム４の中空部４ａを断面視で角部を面取りした矩形状に形成しており、その面取り部分を基板３の端面に当接させるように構成している。なお、これに限らず、例えば、図２（ａ）に示すように、中空部４ａを断面視で角部を丸めた矩形状に形成してもよいし、図２（ｂ）に示すように、丸めや面取りを施さない矩形状としてもよい。ただし、溝８は、少なくとも、基板３の側端部の角部（または角部の近傍）に干渉して、基板３のレドーム４の周方向の動きを規制するように構成されることが望ましい。
【００２６】
また、溝８は、その開口に向かって拡がるテーパ状に形成されることが望ましい。これは、基板３の端部近く、例えば基板３の端部から０．５ｍｍ程度の位置に放射素子２が形成される場合があり、このような場合でも放射素子２がレドーム４（溝８）に接触しないようにするためである。本実施の形態では、基板３の両側端部を溝８に収容し、基板３をスライドさせながらレドーム４の中空部４ａ内に収容することになるが、放射素子２がレドーム４（溝８）に接触する構成となっていると、基板３をスライドさせる際に放射素子２がレドーム４（溝８）に擦り合わされることとなり、放射素子２に不具合が発生するおそれがある。
【００２７】
以上説明したように、本実施の形態に係る無指向性アレイアンテナ１は、表面に放射素子２が形成された複数の基板３と、基板３を収容するレドーム４と、レドーム４の内周面に一体に形成され、基板３の端部を係止して、基板３のレドーム４の周方向の動きを規制する規制手段５と、を備えている。
【００２８】
規制手段５をレドーム４の内周面に一体に設けることで、別途部品を追加することなく、容易に基板３をレドーム４に対して固定することが可能となり、部品点数を増加させたり組立時の作業性を悪化させたりすることなく、基板間角度θを所望の角度に保持することが可能であり、水平指向性偏差が小さい無指向性アレイアンテナ１を実現できる。
【００２９】
また、無指向性アレイアンテナ１は、基板３がレドーム４の支持構造のような役割を果たすことになるので、無指向性アレイアンテナ１全体の機械的強度を高向上させることが可能になる。
【００３０】
本発明は上記実施の形態に限定されるものではなく、本発明の趣旨を逸脱しない範囲で種々の変更を加え得ることは勿論である。
【００３１】
例えば、上記実施の形態では、レドーム４の中空部４ａを断面視で矩形状に形成したが、中空部４ａの形状はこれに限定されるものではない。
【００３２】
例えば、図３（ａ）に示す無指向性アレイアンテナ３１のように、中空部４ａを断面視で円形状に形成し、その内壁から内側に突出するように、レドーム４の軸方向に沿って２つの平行な直線状の突起３２を形成することで、当該２つの突起３２で挟まれた溝８を形成するようにしてもよい。
【００３３】
また、図３（ｂ）に示す無指向性アレイアンテナ３３のように、中空部４ａを断面視で円形状に形成し、その内壁の一部を削ることにより溝８を形成することも可能である。図３（ａ），（ｂ）のように中空部４ａを断面視で円形状に形成することで、中空部４ａの体積を増やし、レドーム４の内部空間を大きくすることが可能になる。なお、溝８間のレドーム４の内壁の形状は、任意に変更可能である。
【００３４】
さらに、上記実施の形態では、レドーム４の外形を断面視で円形状に形成したが、風圧に対する荷重をより低減するために、レドーム４の外壁にディンプルや細かい突起を形成してもよい。また、レドーム４を押出成形により製造可能とするために、図４に示す無指向性アレイアンテナ４１のように、レドーム４の外壁に周方向に沿って複数の山型の突起４２を連続して形成し、当該山型の突起４２を軸方向に延びる直線状に形成した形状としてもよい。
【符号の説明】
【００３５】
１  無指向性アレイアンテナ
２  放射素子
３  基板
４  レドーム
４ａ  中空部
５  規制手段
６  給電点
７  給電線路
８  溝
【図１】
2014154914.tif 000003
【図２】
2014154914.tif 000004
【図３】
2014154914.tif 000005
【図４】
2014154914.tif 000006